(57)【要約】【課題】  利便性を向上できるドキュメント処理装置を提供する。【解決手段】  ドキュメントを保持し、当該保持しているドキュメントの各々について、その出力方法又は出力先ごとに、複写牽制模様の合成に関する設定情報を受け入れて保持しておき、ドキュメントの出力指示があったときに、当該出力指示に係るドキュメントについて、当該出力指示に対応する出力方法又は出力先に関して設定された、複写牽制模様の合成に関する設定情報に基づく複写牽制模様の合成処理を行うドキュメント処理装置である。【選択図】        図１
2006067168.tif 000002
【特許請求の範囲】
【請求項１】
ドキュメントを保持する手段と、
前記ドキュメントの各々について、その出力方法ごとに、複写牽制模様の合成に関する設定情報を受け入れて保持する手段と、
を含み、
ドキュメントの出力指示があったときに、当該出力指示に係るドキュメントについて、当該出力指示に対応する出力方法に関して設定された、複写牽制模様の合成に関する設定情報に基づく複写牽制模様の合成処理が行われることを特徴とするドキュメント処理装置。
【請求項２】
ドキュメントを保持する手段と、
前記ドキュメントの各々について、その出力先ごとに、複写牽制模様の合成に関する設定情報を受け入れて保持する手段と、
を含み、
ドキュメントの出力指示があったときに、当該出力指示に係るドキュメントについて、当該出力指示で指定される出力先に関して設定された、複写牽制模様の合成に関する設定情報に基づく複写牽制模様の合成処理が行われることを特徴とするドキュメント処理装置。
【請求項３】
請求項１または２に記載のドキュメント処理装置であって、
前記複写牽制模様の合成に関する設定情報は、複写牽制模様の合成を行うか否かを設定する情報を含むことを特徴とするドキュメント処理装置。
【請求項４】
請求項１から３のいずれか一項に記載のドキュメント処理装置であって、
前記複写牽制模様の合成に関する設定情報は、複写牽制模様の合成態様に係る設定の情報を含むことを特徴とするドキュメント処理装置。
【請求項５】
ドキュメントを保持する手段と、前記ドキュメントの各々について、その出力方法ごとに、複写牽制模様の合成に関する設定情報を受け入れて保持する手段と、を備えたドキュメント処理装置の制御方法であって、
ドキュメントの出力指示があったときに、当該出力指示に係るドキュメントについて、当該出力指示に対応する出力方法に関して設定された、複写牽制模様の合成に関する設定情報に基づく複写牽制模様の合成処理を行うことを特徴とするドキュメント処理装置の制御方法。
【請求項６】
ドキュメントを保持する手段と、前記ドキュメントの各々について、その出力先ごとに、複写牽制模様の合成に関する設定情報を受け入れて保持する手段と、を備えたドキュメント処理装置の制御方法であって、
ドキュメントの出力指示があったときに、当該出力指示に係るドキュメントについて、当該出力指示で指定される出力先に関して設定された、複写牽制模様の合成に関する設定情報に基づく複写牽制模様の合成処理を行うことを特徴とするドキュメント処理装置の制御方法。
【請求項７】
ドキュメントを保持する手段と、前記ドキュメントの各々について、その出力方法ごとに、複写牽制模様の合成に関する設定情報を受け入れて保持する手段と、を備えたドキュメント処理装置に、
ドキュメントの出力指示があったときに、当該出力指示に係るドキュメントについて、当該出力指示に対応する出力方法に関して設定された、複写牽制模様の合成に関する設定情報に基づく複写牽制模様の合成処理を行わせることを特徴とするプログラム。
【請求項８】
ドキュメントを保持する手段と、前記ドキュメントの各々について、その出力先ごとに、複写牽制模様の合成に関する設定情報を受け入れて保持する手段と、を備えたドキュメント処理装置に、
ドキュメントの出力指示があったときに、当該出力指示に係るドキュメントについて、当該出力指示で指定される出力先に関して設定された、複写牽制模様の合成に関する設定情報に基づく複写牽制模様の合成処理を行わせることを特徴とするプログラム。
【発明の詳細な説明】
【技術分野】
【０００１】
本発明は、複写牽制模様を合成処理するドキュメント処理装置に関する。
【背景技術】
【０００２】
近年では、ドキュメントの複写手段が高機能化している。例えば複写機はその性能が飛躍的に向上して、オリジナルとコピーとの区別が困難になるほどとなっている。そこで近年では、ドキュメントを印刷したときに、その改ざんやコピーを防止するために印刷物の背景に目立たない透かし画像（複写牽制模様）を印字する画像形成装置が存在する。この複写牽制模様は、基本的には複写によって残存する残存パターン（比較的大きな画素塊からなるパターンで形成した画像）と、複写によって消失する消失パターン（比較的小さな画素塊、例えば孤立ドットのパターンで形成した画像）とを含む。具体的に、残存パターンで「ＣＯＰＹ」の文字を白抜きした画像を生成し、消失パターンで当該「ＣＯＰＹ」の文字部分を埋めておく。そして残存パターンと消失パターンとの単位面積あたりの画素数を略同じにして、濃度の一致を図る。
【０００３】
このようにすると、一見グレイの背景となるが、複写をすると「ＣＯＰＹ」の文字部分が消失して、「ＣＯＰＹ」の文字が浮かび上がることとなる。
【０００４】
一方、こうした複写牽制のための技術を利用して、近年のドキュメント管理装置などでは、蓄積しているドキュメントに予め複写牽制模様を付与しておくものがある。なお、この予め付与する段階で、複写牽制模様をドキュメントに実際に合成してしまうと、ドキュメントの画像サイズが変更されてしまうなど、ドキュメント管理の処理に影響を与えることが懸念される。
【０００５】
そこで、ドキュメントのオリジナルデータはそのままとしておき、付加データを合成する指示を関連づけて保持し、出力の段階で付加データを生成して合成する技術が特許文献１に開示されている。
【特許文献１】特開平１１−１７０６３０号公報
【発明の開示】
【発明が解決しようとする課題】
【０００６】
この特許文献１に開示の技術では、付加データを合成する指示が一律に設定されるため、ドキュメントの出力の際には、その出力態様に関わらず複写牽制模様が合成されてしまう。しかしながら、特定の出力態様においては、複写牽制模様を付加せずに出力したいというニーズもあり得る。例えば、ドキュメントをファクシミリ送信するときに、複写牽制模様が付与されてしまうと、一般のファクシミリ装置の解像度の問題により、複写牽制模様が機能せず、ドキュメントが読みにくくなることも考えられる。
【０００７】
同様に、カラーのドキュメントをＯＣＲ（光学的文字認識）処理等のためにパーソナルコンピュータ装置に対して、白黒に変換して送信する場合も、複写牽制模様のためにＯＣＲ結果が影響されることがある。
【０００８】
またこれらの場合、解像度の低下や白黒への変換によって複写物であることが理解されるので、現実には複写牽制模様は不要な場合が多い。
【０００９】
このように特許文献１に開示の技術では、複写牽制模様を付加せずに出力したい場合などの要望に応えることができず、利便性が低い。
【００１０】
本発明は、上記実情に鑑みて為されたもので、利便性を向上できるドキュメント処理装置を提供することを、その目的の一つとする。
【課題を解決するための手段】
【００１１】
上記従来例の問題点を解決するための本発明は、ドキュメント処理装置であって、ドキュメントを保持する手段と、前記ドキュメントの各々について、その出力方法ごとに、複写牽制模様の合成に関する設定情報を受け入れて保持する手段と、を含み、ドキュメントの出力指示があったときに、当該出力指示に係るドキュメントについて、当該出力指示に対応する出力方法に関して設定された、複写牽制模様の合成に関する設定情報に基づく複写牽制模様の合成処理が行われることを特徴としている。
【００１２】
また、上記従来例の問題点を解決するための本発明は、ドキュメント処理装置であって、ドキュメントを保持する手段と、前記ドキュメントの各々について、その出力先ごとに、複写牽制模様の合成に関する設定情報を受け入れて保持する手段と、を含み、ドキュメントの出力指示があったときに、当該出力指示に係るドキュメントについて、当該出力指示で指定される出力先に関して設定された、複写牽制模様の合成に関する設定情報に基づく複写牽制模様の合成処理が行われることを特徴としている。
【００１３】
ここで前記複写牽制模様の合成に関する設定情報は、複写牽制模様の合成を行うか否かを設定する情報を含んでもよい。さらに、前記複写牽制模様の合成に関する設定情報は、複写牽制模様の合成態様に係る設定の情報を含んでもよい。
【００１４】
また、本発明の一態様は、ドキュメントを保持する手段と、前記ドキュメントの各々について、その出力方法ごとに、複写牽制模様の合成に関する設定情報を受け入れて保持する手段と、を備えたドキュメント処理装置の制御方法であって、ドキュメントの出力指示があったときに、当該出力指示に係るドキュメントについて、当該出力指示に対応する出力方法に関して設定された、複写牽制模様の合成に関する設定情報に基づく複写牽制模様の合成処理を行うことを特徴としている。
【００１５】
さらに、本発明の別の態様は、ドキュメントを保持する手段と、前記ドキュメントの各々について、その出力先ごとに、複写牽制模様の合成に関する設定情報を受け入れて保持する手段と、を備えたドキュメント処理装置の制御方法であって、ドキュメントの出力指示があったときに、当該出力指示に係るドキュメントについて、当該出力指示で指定される出力先に関して設定された、複写牽制模様の合成に関する設定情報に基づく複写牽制模様の合成処理を行うことを特徴としている。
【００１６】
さらに、本発明の別の態様は、プログラムであって、ドキュメントを保持する手段と、前記ドキュメントの各々について、その出力方法ごとに、複写牽制模様の合成に関する設定情報を受け入れて保持する手段と、を備えたドキュメント処理装置に、ドキュメントの出力指示があったときに、当該出力指示に係るドキュメントについて、当該出力指示に対応する出力方法に関して設定された、複写牽制模様の合成に関する設定情報に基づく複写牽制模様の合成処理を行わせることを特徴としている。
【００１７】
さらに本発明の別の態様は、プログラムであって、ドキュメントを保持する手段と、前記ドキュメントの各々について、その出力先ごとに、複写牽制模様の合成に関する設定情報を受け入れて保持する手段と、を備えたドキュメント処理装置に、ドキュメントの出力指示があったときに、当該出力指示に係るドキュメントについて、当該出力指示で指定される出力先に関して設定された、複写牽制模様の合成に関する設定情報に基づく複写牽制模様の合成処理を行わせることを特徴としている。
【発明を実施するための最良の形態】
【００１８】
本発明の実施の形態について図面を参照しながら説明する。本発明の実施の形態に係るドキュメント処理装置は、具体的には複合機として実現される。以下、本発明の実施の形態に係るドキュメント処理装置を複合機として実現した例について説明する。
【００１９】
この複合機（本実施の形態の複合機）は、図１に示すように、スキャナ部１０と、制御部２０と、印字部３０と、ファクシミリ通信部４０と、ネットワーク通信部５０とを含んで構成される。また、制御部２０は、ＣＰＵ２１と、記憶部２２と、ストレージ部２３と、インタフェース回路（Ｉ／Ｆ回路）２４と、操作部２５と、表示部２６とを含んで構成されている。
【００２０】
スキャナ部１０は、原稿を光学的に読み取る一般的なスキャナであり、指定された原稿を読み取って画像データとして制御部２０に出力する。
【００２１】
制御部２０のＣＰＵ２１は、記憶部２２に格納されているプログラムに従って動作している。このＣＰＵ２１は、スキャナ部１０にて読み取られた画像データに基づいてドキュメントを生成してストレージ部２３に格納する。また、ネットワーク通信部５０から受信されるドキュメントを取得してストレージ部２３に格納する。また、このＣＰＵ２１は、ドキュメントに複写牽制模様を付与すべき旨の指示を受けて、当該指示の対象となったドキュメントに対して複写牽制模様を設定する処理を行う。
【００２２】
さらに本実施の形態のＣＰＵ２１は、ストレージ部２３に格納されたドキュメントを、印字部３０やファクシミリ通信部４０、ネットワーク通信部５０等を介して出力する処理を行う。これらの処理の具体的な内容については、後に詳しく述べる。
【００２３】
記憶部２２は、ＲＡＭ（Random Access Memory）やＲＯＭ（Read Only Memory）等の記憶素子を用いて実現される。この記憶部２２は、ＣＰＵ２１によって実行されるプログラムを保持している。また、この記憶部２２は、ＣＰＵ２１の処理に必要となるデータを保持するワークメモリとしても動作する。
【００２４】
ストレージ部２３は、ハードディスク等であり、ドキュメント等のデータを保持している。Ｉ／Ｆ回路２４は、制御部２０を、スキャナ部１０や印字部３０、ファクシミリ通信部４０、並びにネットワーク通信部５０等の入出力装置に接続するものである。このＣＰＵ２１は、このＩ／Ｆ回路２４を介してこれら入出力装置との間でデータや情報の授受を行う。
【００２５】
操作部２５は、例えば表示部２６にオーバーレイされたタッチパネルや、ボタン、スイッチなどを含む。この操作部２５は、利用者の操作の内容をＣＰＵ２１に出力する。また、表示部２６は、液晶表示ディスプレイ等であり、ＣＰＵ２１から入力される指示に従って情報を表示する。
【００２６】
印字部３０は、例えばプリンタであり、ＣＰＵ２１から入力される指示に従ってドキュメントを用紙上に形成して固定する。ファクシミリ通信部４０は、モデムであり、ＰＴＳＮ（Public Telephone Switched Network）等の電話回線に接続されている。このファクシミリ通信部４０は、ＣＰＵ２１から入力される指示に従って、発信先の電話番号を発呼し、発信先が着呼すると、ドキュメントに基づいて生成した画像データをファクシミリ通信プロトコル（例えばＧ３プロトコル）にて発信先のファクシミリ装置に対して送信する。
【００２７】
ネットワーク通信部５０は、インタフェースカード等であり、ＣＰＵ２１から入力される指示に従って、種々のデータをネットワークを介して送信出力する。また、このネットワーク通信部５０は、ネットワークを介して到来するデータを受信し、ＣＰＵ２１に出力する。
【００２８】
本実施の形態の複合機は、以上の構成を備えるので、ドキュメントの出力方法として、表示部２６による表示出力、印字部３０による印刷出力、ファクシミリ通信部４０によるＦＡＸ出力、ネットワーク通信部５０による電子メール出力の４種類の出力方法がある。
【００２９】
以下、ＣＰＵ２１の動作の具体的な内容について説明する。本実施の形態では、このＣＰＵ２１は、受け入れたドキュメントをストレージ部２３に格納する。これは、いわゆる蓄積ボックス（処理未定のドキュメントを蓄積させておき、必要に応じて出力させるための蓄積領域）機能を実現するためである。
【００３０】
具体的に利用者は、スキャナ部１０にドキュメントの原稿をセットし、操作部２５にて、蓄積ボックス機能を選択する。するとＣＰＵ２１が、図２に示すように、ドキュメントの格納領域を指定するボタンＢや、後に行うべき処理の内容を指定するインタフェース（Ｘ）を表示部２６に表示させる。利用者は、ここでドキュメントの格納場所（例えばストレージ部２３としてのハードディスク内に形成されたディレクトリ）を指定するとともに、出力方法の可否と、可能と設定された出力方法ごとに、複写牽制模様の合成に関する設定情報を受け入れる。
【００３１】
具体的に、出力方法の可否の設定は、印刷出力、ＦＡＸ出力、並びに電子メール送信出力の出力方法のうち、利用者が選択できる出力方法を定めるものである。本実施の形態において特徴的なことの一つは、この出力方法の可否の設定において、選択可能な出力方法については、当該出力方法における複写牽制模様の合成を行うか否か、さらに、合成するときには、その合成態様を設定できることである。
【００３２】
合成態様の設定は具体的には、複写牽制模様の合成の要否（合成を行うか否かの情報）や、合成する複写牽制模様の種類を特定する情報、さらには、複写牽制模様を複写した結果を模した疑似複写牽制模様の合成指示といった合成態様のいずれかを選択して設定したものである。またここで合成態様の設定として、複写牽制模様を要する条件（例えば出力先の条件など）を設定してもよい。
【００３３】
利用者がこれらの設定を完了すると、ＣＰＵ２１は、スキャナ部１０に対してドキュメントとなる画像データを読み取るよう指示し、スキャナ部１０から入力された画像データに基づいてドキュメントのデータを生成する。このドキュメントのデータは、例えばＰＤＦ（Portable Document Format）等として生成する。ＣＰＵ２１は、ドキュメントのデータを識別する固有の識別情報を発行する（例えば読取時刻などを含む名称として生成する）。そして、上記設定の内容を、当該ドキュメントの識別情報に関連づけて設定データベースとしてストレージ部２３に格納する。またＣＰＵ２１は、ドキュメントの識別情報と、生成したドキュメントのデータとを関連づけて（例えばドキュメントの識別情報をファイル名としたファイルに、当該ドキュメントのデータを含めて）ストレージ部２３に格納する。
【００３４】
次に、ドキュメントの出力指示があったときの処理について説明する。利用者が操作部２５を操作し、又はネットワークを介して、ドキュメントの出力指示を行うと、ＣＰＵ２１は次のような処理を実行する。すなわちＣＰＵ２１は、ストレージ部２３に格納された設定データベースから、当該出力指示の対象となったドキュメントの識別情報に対応する設定の内容を読み出し、当該読出した設定の内容のうち、出力指示によって指定される出力方法に対応する設定を参照する。そしてＣＰＵ２１は、出力指示の対象となったドキュメントのデータをストレージ部２３から読み出し、複写牽制模様の合成に関する設定情報に基づいて、複写牽制模様の合成処理を行う。
【００３５】
つまりＣＰＵ２１は、図３に示すように、設定情報により複写牽制模様を合成しない旨の設定となっているか否かを調べる（Ｓ１）。ここで合成するとの設定である場合（Ｙｅｓの場合）は、さらに複写牽制模様を合成する条件が設定されているか否かを調べる（Ｓ２）。そして条件が設定されていれば（Ｙｅｓならば）、さらに当該設定されている条件を満足するか否かを調べ（Ｓ３）、満足する場合は（Ｙｅｓの場合は）、複写牽制模様の種類を特定する情報が含まれているか否かを調べる（Ｓ４）。ここで、複写牽制模様の種類を特定する情報が設定情報に含まれていれば（Ｙｅｓならば）、当該情報によって特定される複写牽制模様の画像を取得する（Ｓ５）。ここで特定される複写牽制模様は予めストレージ部２３に格納しておけばよい。
【００３６】
ＣＰＵ２１は、ドキュメントのデータに基づいて画像を生成する（Ｓ６）。つまり、ドキュメントのデータが例えばポストスクリプト（登録商標）やＰＤＦで記述されている場合に、ここで形成処理のためのビットマップ画像を生成（いわゆるレンダリング処理を実行）する。そして処理Ｓ６にて生成した画像に対して、取得した複写牽制模様を合成する（Ｓ７）。そしてＣＰＵ２１は、生成した画像を出力方法ごとに定められた出力先に出力して（Ｓ８）、処理を終了する。
【００３７】
すなわち、この処理Ｓ８では、出力指示が表示出力である場合は表示部２６に、印刷出力である場合は印字部３０に出力することになる。また、ＦＡＸ出力の指示の場合は、当該指示によって特定される出力先（電話番号）に対して送信するべき旨の指示とともに、ファクシミリ通信部４０に画像を出力する。電子メール出力が指示された場合も同様に、当該指示によって特定される出力先（電子メールアドレス）に対して送信するべき旨の指示とともに、ネットワーク通信部５０に対して画像を出力する。
【００３８】
また、処理Ｓ４において、複写牽制模様の種類が特定されていなければ（Ｎｏならば）、デフォルトの複写牽制模様（特定がない場合に合成するべきものとして予め定められている複写牽制模様）を取得して（Ｓ９）、処理Ｓ６に移行して処理を続ける。また、処理Ｓ２において複写牽制模様を合成する条件が設定されていない場合（Ｎｏの場合）は、処理Ｓ４に移行して処理を続ける。
【００３９】
さらに処理Ｓ１において、設定情報により複写牽制模様を合成しない旨の設定となっているときには（Ｎｏのときには）、処理Ｓ６におけるのと同様にして、ドキュメントのデータに基づいて画像を生成する（Ｓ１０）。そしてこの生成した画像を出力させるべく、処理Ｓ８に移行する。また、処理Ｓ３において設定されている条件が満足されない場合（Ｎｏの場合）も、この処理Ｓ１０に移行して処理を続けることとする。
【００４０】
これにより例えば、ＦＡＸ出力の出力方法については複写牽制模様を合成せず、印刷出力の出力方法については複写牽制模様を合成すると設定し、電子メール出力の際には、宛先（電子メールアドレス）が、特定のもの（例えば電子メールアドレスが「aaaa@bbb.ccc」に完全一致するもの、又は電子メールアドレスのうち、ホスト名を表す部分が「bbb.ccc」に一致するなど）の場合は複写牽制模様を合成せず、特定のものでない場合は複写牽制模様を合成する、と設定すると、次のような処理が行われる。
【００４１】
まずストレージ部２３に蓄積したドキュメントについて、ＦＡＸ出力を行うよう指示すると、ＦＡＸ出力の場合は複写牽制模様を合成しないよう設定されているので、当該ドキュメントの画像が生成され、そのままファクシミリにて送信される。
【００４２】
また、同じドキュメントについて印刷出力するよう指示すると、当該ドキュメントの画像が生成され、複写牽制模様が合成されて印字部３０に出力される。これにより画像に複写牽制模様が合成されて出力されることとなる。
【００４３】
さらに、このドキュメントについて電子メール送信するよう指示し、この送信先として「aaaa@bbb.ccc」を指定すると、この送信先が予め設定された条件に合致するので、当該ドキュメントの画像が生成され、そのままファクシミリにて送信されることになる。また送信先として「pppp@xxx.yyy」が指定された場合は、送信先が予め設定された条件に合致しないので、当該ドキュメントの画像が生成された後、複写牽制模様が合成され、当該合成後の画像が指定された送信先に電子メールにて送信されることになる。
【００４４】
さらに、ここまでの説明では複写牽制模様を合成するか否かの条件として出力先（電話番号や送信先の宛先など）を特定して合成するか否かを設定することとしていたが、これに限られるものではない。例えば、この条件として、出力方法を指示した利用者に関する条件や、出力方法ごとの出力解像度、色変換（白黒に変換されるか否か等）に関する条件を用いてもよい。例えば、出力を指示した利用者が予め定めた特定利用者である場合は、複写牽制模様を合成しないなどと設定する。或いは、ドキュメントが白黒に変換されてから出力される場合は複写牽制模様を合成しないなどと設定する。
【００４５】
なお、複写牽制模様を合成する場合に、複写牽制模様の種類として、複写後に複写牽制の文字列等が現れるもの（複写牽制の文字列等を残存パターンで構成し、それ以外の部分を消失パターンで構成したもの）や、複写後に複写牽制の文字列等が白抜きで現れるもの（複写牽制の文字列等を消失パターンで構成し、それ以外の部分を残存パターンで構成したもの）、さらには、複写牽制の文字列等を合成したもの（複写せずとも「ＣＯＰＹ」等の文字列が現れているもの、つまり疑似複写牽制模様）のいずれかを設定できるようにしておいてもよい。
【００４６】
また、電子メール送信など、データとして出力される場合には、複写牽制模様の合成態様として、データ内に複写牽制のための情報を埋込む、いわゆる電子透かし技術を用いた合成処理を行うこととしてもよい。さらに本実施の形態では、出力方法自体を選択できないように設定できるようにしてもよい。
【００４７】
この場合、例えば出力方法ごとに、選択の可否に係る情報を関連づけておき、ドキュメントの出力方法を問い合せるインタフェース画面（図４）において、選択できないと設定されている出力方法については、当該出力方法を選択できないようにする。
【００４８】
さらに、本実施の形態においては、出力方法ごとの選択可否や、複写牽制模様の合成態様に関する設定を後から変更できるようにしてもよい。この場合は、変更をする利用者を認証し、特定の利用者であることが認証されたときに限り変更を受け入れるようにしてもよい。
【００４９】
本実施の形態によれば、複写牽制模様を付加せずに出力したい場合などの要望に応えることができ、利便性を向上できる。
【図面の簡単な説明】
【００５０】
【図１】本発明の実施の形態に係るドキュメント処理装置の構成ブロック図である。
【図２】ドキュメントの格納指示を行う際のユーザインタフェースの例を表す説明図である。
【図３】本発明の実施の形態に係るドキュメント処理装置の処理例を表すフローチャート図である。
【図４】ドキュメントの出力指示を行う際のユーザインタフェースの例を表す説明図である。
【符号の説明】
【００５１】
１０  スキャナ部、２０  制御部、２１  ＣＰＵ、２２  記憶部、２３  ストレージ部、２４  インタフェース回路、２５  操作部、２６  表示部、３０  印字部、４０  ファクシミリ通信部、５０  ネットワーク通信部。
【図１】
2006067168.tif 000003
【図２】
2006067168.tif 000004
【図３】
2006067168.tif 000005
【図４】
2006067168.tif 000006